(57)【要約】【課題】  従来からのパチンコ店、パチンコホール内のパチンコ玉の移動や人体の移動、荷物の移動の際に発生するエネルギーや、音波の圧力等のエネルギーを電力発生に利用するシステムは存在せず、電力を消費するばかりであった。これらのエネルギーを利用し電力消費を低減させる必要があった。【解決手段】  圧電素子、発電装置をパチンコ店、パチンコホール内に適切に配置し電力を得られるように構築した発電装置としたものである。【選択図】図１
2010042215.tif 000002
【特許請求の範囲】
【請求項１】
パチンコ店、パチンコホールに於いてパチンコ台内のパチンコ玉の移動による変位を利用し圧電素子により電圧を発生させることを特徴とする発電装置。
【請求項２】
パチンコ店、パチンコホールに於いてパチンコ台内のパチンコ玉の移動による変位を利用し羽根車の回転により電圧を発生させることを特徴とする発電装置。
【請求項３】
パチンコ店、パチンコホールに於いてパチンコ台内のパチンコ玉の移動をさせる際のモーターに発電装置を設置し発電することを特徴とする発電装置
【請求項４】
パチンコ店、パチンコホールに於いて店内、ホール内の床を人体及び物体の移動による圧力を利用し、床面に圧電素子を適切に敷設することにより電力を得られるとを特徴とする発電装置。
【請求項５】
パチンコ店、パチンコホールに於いて店内、ホール内の音響エネルギーを圧電素子を適切に敷設したことにより電圧を発生させることを特徴とする発電装置。
【請求項６】
パチンコ玉発射時における打撃圧を利用し発電装置としたことを特徴とする発電装置である。
【発明の詳細な説明】
【技術分野】
【０００１】  この発明は、パチンコ店、パチンコホール、パチンコスペース等に於けるパチンコ玉、店内、スペース内の音響による音圧、床に加わる圧力その他振動、回転力等を電力に変換する発電装置に属する。
【背景技術】
【０００２】  従来からの発電技術及び発電装置は、水力、火力、原子力、風力等のエネルギー源を２次的に電力に変換するシステムはよく知られている。また、圧電素子によるライター等の着火機においても同様に２次的な発電手法によるものである。また、最近では圧電素子発電装置等の特許も見受けられる。（例えば、特許文献１，２，３参昭）
【特許文献１】  特開２００４−１８０４８３号公報
【特許文献２】  特開２００５−５７９８２号公報
【特許文献３】  特開平７−２４５９７０号公報
【発明の開示】
【発明が解決しようとする課題】
【０００３】  従来の多くの発電システムは複雑で大規模な設備を有し、発電場所、設備を管理するための付帯設備等が必要であり維持するための付帯設備等も必要である。【０００４】  本発明は、このような問題点に鑑みてなされたものであり、発電場所を従来から存在する場所であるパチンコ店、パチンコホール内に於いて実施することにより従来から存在する電力会社等の大規模な発電発生装置を補うべく考案されたものである。
【課題を解決するための手段】
【０００５】  請求項１に記載のパチンコ店、パチンコホール内発電装置は、パチンコ玉が移動する際のエネルギーを圧電素子や、羽根車に適切に設置した発電装置より電力を得られるよう配する。【０００６】  請求項２に記載のパチンコ店、パチンコホール内発電装置は、
パチンコ玉を移動させる際のモーターに発電装置を組み合わせ、そのモーターの回転力により電力を得られるように配してもよい。【０００７】  請求項３に記載のパチンコ店、パチンコホール内発電装置は、
パチンコ店、パチンコホール内の音の響きや、騒音音量を音圧として、圧電素子に導入せしむるように適切に配し、その音の圧力により電力を得られるように設置してもよい。【０００８】  請求項４に記載のパチンコ店、パチンコホール内発電装置は、
パチンコ店、パチンコホール内の人物の歩行の際の体重の移動により発生する圧力を床に適切に配した圧電素子により電力を得られるようにしてもよい。【０００９】  請求項５に記載のパチンコ店、パチンコホール内発電装置は、
パチンコ店、パチンコホール内のパチンコ玉移動、諸荷物の移動の際に発生する圧力を床に適切に配した圧電素子により電力を得られるようにしてもよい。【００１０】  請求項６に記載のパチンコ店、パチンコホール内発電装置は、
パチンコ店、パチンコホール内のパチンコ玉発射の際に発生する打撃点の圧力を打撃装置に適切に配した圧電素子により電力を得られるようにしてもよい。
【発明の効果】
【００１１】  従来は、以上の説明にあるような、パチンコ店、パチンコホール内の多くのエネルギー源より電力を発生させるような配慮はなかった。
本発明は、これらのエネルギー源を電力に変換し、ディスプレーの光源や電飾等の電力源に用いることにより、電力消費の改善に寄与することになる。【００１２】  また将来必要回路要素の簡素化と小型軽量化、高効率化、集積回路化による製造コストの低価格化にも寄与する。
【発明を実施するための最良の形態】
【００１３】  以下、本発明の実施の形態を説明する。
図１は、この発明の実施の形態を示す。【００１４】  同図において、島内タンク組み込み断面図である。９の上部タンク内のパチンコ玉１の移動による流れを、各部に配した発電装置の全体図になるものである。【００１５】  直線矢印は、パチンコ玉の流れ方向であり、島全体を巡っている状況を表しているものである。【００１６】  図２〜図６に於いては、各発電装置である。
【図面の簡単な説明】
【００１７】
【図１】  本発明の実施の形態に係る構成を示すブロック図であり、パチンコ店、パチンコホール内発電装置の全体図である。９の上部タンクより流れ出たパチンコ玉が、３の羽根車を回転させ、次に２の圧電素子に当たりながら移動し４のモーターにより９の上部タンクまで循環する様子をあらわしたものである。
【図２】  羽根車付き発電装置である。パチンコ玉が流れて通過する際に１０の羽根車を回転させ回転軸に適切に取り付けた１１の発電装置より電力を得られるようにした発電装置である。
【図３】  １２のモーター軸に取り付けた発電装置である。パチンコ玉を移動させる際、各部に多くのモーターを配しており、その回転力を利用し、軸に適切に取り付けられた１１の発電装置より電力を得られるようにした発電装置である。
【図４】  パチンコ店、パチンコホール内７の床部分に２の圧電素子を敷設した発電装置である。パチンコ店、パチンコホール内５の人の移動やパチンコ玉、荷物運搬時における６の台車等の移動時に床に加わる圧力を利用し２の圧電素子を８の圧電素子保護材などにより適切に配した発電装置である。
【図５】  パチンコ玉発射時の圧力を２の圧電素子より電力を得られるようにした発電装置である。１３の打撃装置が１のパチンコ玉に当たる際の衝撃により適切に配された２の圧電素子より電力を得られるようにした発電装置である。
【図６】  パチンコ店、パチンコホール内のアナウンス音声、楽音、騒音ノイズ等音響による音圧を利用し電力を得られるようにした発電装置の断面図である。店内に、適切に配された１４の集音器と２の圧電素子及び発電ユニットより電力を得られるようにした発電装置である。
【符号の説明】
【００１８】１  パチンコ玉
２  圧電素子
３  羽根車付きダイナモ装置
４  モーター及びダイナモ装置
５  人体
６  車輪
７  床面
８  圧電素子保護材
９  上部タンク
１０羽根車部
１１発電装置
１２モーター
１３打撃装置
１４集音器
１５音波
【図１】
2010042215.tif 000003
【図２】
2010042215.tif 000004
【図３】
2010042215.tif 000005
【図４】
2010042215.tif 000006
【図５】
2010042215.tif 000007
【図６】
2010042215.tif 000008